(57)【要約】【課題】  書籍のような板状の商品を立てて陳列するのに適した商品陳列具であって、商品を立てて並べて陳列する横方向のスペースを、所望に応じて簡単に変更することを可能ならしめる商品陳列具を提案する。【解決手段】  第一の枠体と、第一の枠体に対して掛合手段を介して組み付けられる第二の枠体とからなり、第一の枠体、第二の枠体はそれぞれ収容空間を形成するための側面支持板、底面支持板、背面支持板を備えており、掛合手段は、第一の枠体に対して第二の枠体が第一の枠体の右側から組み合わされた際に、第二の枠体における第二の底面支持板の第一の枠体における第一の右側側面支持板の下端側に近接する部分と、第一の枠体における第一の右側側面支持板の下端側との間を掛脱自在に掛合する。【選択図】  図２
2006000255.tif 000002
【特許請求の範囲】
【請求項１】
左側側面支持板と、
当該左側側面支持板に対して所定の間隔を開けて当該左側側面支持板に対して平行に延び、下端辺の垂直方向高さ位置が、左側側面支持板の下端辺の垂直方向高さ位置より所定の間隔だけ高い第一の右側側面支持板と、
当該左側側面支持板の下端側と第一の右側側面支持板の下端側との間に、第一の右側側面支持板の下端側から左側側面支持板の下端側に向かって下り傾斜して配置されている第一の底面支持板と、
当該第一の右側側面支持板の背面側から左側側面支持板の背面側に向かって配置される第一の背面支持板と
からなる第一の枠体と、
当該第一の枠体に対して右側から組み合わされた際に、
当該第一の枠体の第一の右側側面支持板に対して所定の間隔を開けて、当該第一の右側側面支持板に対して平行に延び、下端辺の垂直方向高さ位置が、前記第一の枠体の左側側面支持板の下端辺の垂直方向高さ位置より所定の間隔だけ高い第二の右側側面支持板と、
前記第一の枠体の第一の右側側面支持板の下端側と当該第二の右側側面支持板の下端側との間に、当該第二の右側側面支持板の下端側から第一の右側側面支持板の下端側に向かって下り傾斜して延びる第二の底面支持板と、
当該第二の右側側面支持板の背面側から、前記第一の背面支持板と平行に、前記第一の枠体の方向に向かって延びる第二の背面支持板と
からなる第二の枠体と
からなり、
前記第一の枠体に対して第二の枠体が第一の枠体の右側から組み合わされた際に、
前記第二の底面支持板の前記第一の右側側面支持板の下端側に近接する部分と、前記第一の右側側面支持板の下端側との間を掛脱自在に掛合する掛合手段を備えている
ことを特徴とする商品陳列具。
【請求項２】
掛合手段は、
第二の枠体の第二の底面支持板の前記第一の枠体の第一の右側側面支持板の下端側に近接する部分と、前記第一の枠体の第一の右側側面支持板の下端側との間を掛合しているときに、底面の垂直方向高さ位置が、前記第一の枠体の左側側面支持板の下端辺の垂直方向高さ位置と等しくなり、
前記第一の枠体の第一の右側側面支持板の下端側に延びている側において、垂直方向上向きに立ち上がり、少なくとも、前記第一の枠体の第一の右側側面支持板の下端の前記左側側面支持板に向かう側の面に掛合する立上り掛合部を備えている
ことを特徴とする請求項１記載の商品陳列具。
【請求項３】
前記第二の枠体の第二の底面支持板の前記第一の右側側面支持板の下端側に近接する部分に延びている側の前記掛合手段の上端側は、第二の底面支持板の底面に固着されていることを特徴とする請求項２記載の商品陳列具。
【請求項４】
掛合手段は、
前記第一の枠体の第一の右側側面支持板の下端の前記左側側面支持板に向かう側の面と、当該面に対して所定の間隔を開けて前記第一の枠体の第一の底面支持板の底面に形成されている突部と、前記第一の底面支持板の底面との間で形成される掛合凹部と、
第一の枠体に対して第二の枠体が第一の枠体の右側から組み合わされた際に、当該掛合凹部に嵌合するように、前記第二の枠体の第二の底面支持板の前記第一の右側側面支持板の下端側に近接する部分の上面側に形成されている掛合凸部とからなる
ことを特徴とする請求項１記載の商品陳列具。
【請求項５】
第一の枠体に対して第二の枠体が第一の枠体の右側から組み合わされているときに、第一の枠体と第二の枠体とをそれぞれ互いに対して背面側方向及び正面側方向に向けてスライド移動可能であることを特徴とする請求項１乃至４のいずれか一項記載の商品陳列具。
【発明の詳細な説明】
【技術分野】
【０００１】
この発明は、書籍のような板状の商品を立てて陳列するのに適した商品陳列具に関する。
【背景技術】
【０００２】
書籍のような板状の商品を、棚や、平坦な商品陳列台・陳列面の上に立てて陳列する場合、ブックエンドや本立てなどを、立てて並べた書籍の両側にあて、書籍が倒れるのを防止したり、所定の横方向の間隔を有する棚に、隙間なく書籍を立てて並べて詰め、書籍が倒れるのを防止していた。
【０００３】
また、本棚などに仕切板を取り付けるための掛合孔を設け、仕切り板をこの掛合孔に掛合させて取り付けることにより、本棚などの横方向における希望する位置に仕切り板を取り付けることができるようにし、このようにして希望する間隔毎に立設させた仕切板により、立てて並べた書籍が倒れるのを防止する発明も提案されている（例えば、特開平８−１０１１３号公報）。
【特許文献１】特開平８−１０１１３号公報
【発明の開示】
【発明が解決しようとする課題】
【０００４】
店舗に陳列されている書籍のような板状の商品の消費者に対する訴求力は、書籍等の板状の商品がどのような形態、形式で陳列されているかによって大きく異なることがある。
【０００５】
そこで、書籍のような板状の商品を、棚や、平坦な商品陳列台・陳列面の上に立てて陳列する場合に、ただ単に、立てて並べた書籍等が倒れるのを防止するだけでなく、書籍等の板状の商品を陳列した際に消費者に対して大きな訴求力を発揮できるようなデザイン的にも優れている商品陳列具が望まれている。
【０００６】
また、立てて並べている書籍のような板状の商品の消費者に対する訴求力を高めるため、必要に応じて商品配置形態を変更する等、種々の商品アイティムを次々と並列して並べて陳列することになった場合において、簡単に、各商品アイティムごとに区切って、各商品を立てて並べながら陳列スペースを確保することができ、その一方、不要になった場合には、簡単に撤去できて、商品陳列スペース（すなわち、書籍のような板状の商品を立てて並べて陳列する横方向のスペース）を、所望に応じて簡単に変更することを可能ならしめる商品陳列具が望まれている。
【０００７】
そこで、本発明は、書籍のような板状の商品を立てて陳列するのに適した商品陳列具であって、商品配置形態を変更する等、種々の商品アイティムを次々と並列して並べて陳列することになった場合において、簡単に、各商品アイティムごとに区切って、各商品を立てて並べながら陳列スペースを確保することができ、その一方、不要になった場合には、簡単に撤去できて、商品陳列スペース（すなわち、商品を立てて並べて陳列する横方向のスペース）を、所望に応じて簡単に変更することを可能ならしめる商品陳列具を提案することを目的としている。
【課題を解決するための手段】
【０００８】
前記課題を解決するため、本発明が提案する商品陳列具は、以下に説明する第一の枠体と、第二の枠体と、掛合手段とを備えているものである。
【０００９】
ここで、第一の枠体は、左側側面支持板と、当該左側側面支持板に対して所定の間隔を開けて当該左側側面支持板に対して平行に延び、下端辺の垂直方向高さ位置が、左側側面支持板の下端辺の垂直方向高さ位置より所定の間隔だけ高い第一の右側側面支持板と、当該左側側面支持板の下端側と第一の右側側面支持板の下端側との間に、第一の右側側面支持板の下端側から左側側面支持板の下端側に向かって下り傾斜して配置されている第一の底面支持板と、当該第一の右側側面支持板の背面側から左側側面支持板の背面側に向かって配置される第一の背面支持板とからなるものである。
【００１０】
また、第二の枠体は、前記第一の枠体に対して右側から組み合わされた際に、当該第一の枠体の第一の右側側面支持板に対して所定の間隔を開けて、当該第一の右側側面支持板に対して平行に延び、下端辺の垂直方向高さ位置が、前記第一の枠体の左側側面支持板の下端辺の垂直方向高さ位置より所定の間隔だけ高い第二の右側側面支持板と、前記第一の枠体の第一の右側側面支持板の下端側と当該第二の右側側面支持板の下端側との間に、当該第二の右側側面支持板の下端側から第一の右側側面支持板の下端側に向かって下り傾斜して延びる第二の底面支持板と、当該第二の右側側面支持板の背面側から、前記第一の背面支持板と平行に、前記第一の枠体の方向に向かって延びる第二の背面支持板とからなるものである。
【００１１】
また、掛合手段は、前記第一の枠体に対して第二の枠体が第一の枠体の右側から組み合わされた際に、前記第二の底面支持板の前記第一の右側側面支持板の下端側に近接する部分と、前記第一の右側側面支持板の下端側との間を掛脱自在に掛合するものである。
【００１２】
前記本発明の商品陳列具において、掛合手段は、第二の枠体の第二の底面支持板の前記第一の枠体の第一の右側側面支持板の下端側に近接する部分と、前記第一の枠体の第一の右側側面支持板の下端側との間を掛合しているときに、底面の垂直方向高さ位置が、前記第一の枠体の左側側面支持板の下端辺の垂直方向高さ位置と等しくなり、前記第一の枠体の第一の右側側面支持板の下端側に延びている側において、垂直方向上向きに立ち上がり、少なくとも、前記第一の枠体の第一の右側側面支持板の下端の前記左側側面支持板に向かう側の面に掛合する立上り掛合部を備えているようにすることができる。
【００１３】
この場合、前記第二の枠体の第二の底面支持板の前記第一の右側側面支持板の下端側に近接する部分に延びている側の前記掛合手段の上端側は、第二の底面支持板の底面に固着されているようにすることができる。
【００１４】
また、前記本発明の商品陳列具において、掛合手段は、前記第一の枠体の第一の右側側面支持板の下端の前記左側側面支持板に向かう側の面と、当該面に対して所定の間隔を開けて前記第一の枠体の第一の底面支持板の底面に形成されている突部と、前記第一の底面支持板の底面との間で形成される掛合凹部と、第一の枠体に対して第二の枠体が第一の枠体の右側から組み合わされた際に、当該掛合凹部に嵌合するように、前記第二の枠体の第二の底面支持板の前記第一の右側側面支持板の下端側に近接する部分の上面側に形成されている掛合凸部とからなるようにすることができる。
【００１５】
以上説明した本発明の商品陳列具において、第一の枠体に対して第二の枠体が第一の枠体の右側から組み合わされているときに、第一の枠体と第二の枠体とをそれぞれ互いに対して背面側方向及び正面側方向に向けてスライド移動可能であるようにすることができる。
【発明の効果】
【００１６】
この発明の商品陳列具によれば、第一の枠体に対して第二の枠体が第一の枠体の右側から組み合わされた際に、前記第二の底面支持板の前記第一の右側側面支持板の下端側に近接する部分と、前記第一の右側側面支持板の下端側との間が掛合手段によって掛脱自在に掛合される。
【００１７】
これによって、第一の枠体に対して右側から第一の枠体に組み合わされた第二の枠体が、掛合手段によって掛脱自在に掛合されている、前記第二の底面支持板の前記第一の右側側面支持板の下端側に近接する部分と、前記第一の右側側面支持板の下端側との間を回転中心として、前記第二の枠体の第二の右側側面支持板が、第一の枠体から離れる方向に回転しようとする動きが防止される。
【００１８】
こうして、第一の枠体の左側支持板と第一の右側側面支持板との間、第一の枠体の第一の右側側面支持板と第二の枠体の第二の右側側面支持板との間に、底面側を、それぞれ、第一の底面支持板と、第二の底面支持板とによって支持され、背面側を、それぞれ、第一の背面支持板と、第二の背面支持板とによって支持された収容空間が形成され、ここに、それぞれ、書籍のような板状の商品を、正面側に形成されている空間（第一の枠体の左側側面支持板の正面側辺と、第一の底面支持板の正面側辺と、第一の右側側面支持板の正面側辺との間によって区画される空間と、第一の枠体の第一の右側側面支持板の正面側辺と、第二の枠体の第二の底面支持板の正面側辺と、第二の右側側面支持板の正面側辺との間によって区画される空間）から挿入し、立てて並べて陳列することができる。
【００１９】
前記のように構成された本発明の商品陳列具は、いあわば、最小単位といえるもので、この後、所望の数の第二の枠体と、所望の数の掛合手段とを組み合わせることによって、前述した最小単位となっている本発明の商品陳列具の向かって右側に次々と収容空間を増設し、また、不要になれば、当該増設した収容空間を撤去していくことができる。
【００２０】
すなわち、前記第二の枠体の右側から、同じようにして、更に別の第二の枠体を組み合わせ、この更に右側から組み合わせた第二の枠体における第二の底面支持板の前記第二の枠体の第二の右側側面支持板の下端側に近接する部分と、前記第二の枠体の第一の右側側面支持板の下端側との間を別の掛合手段によって掛脱自在に掛合することにより、同じようにして、収容空間を右側に次々に増設していくことができる。
【００２１】
このように、前述した本発明の第一の枠体と、第二の枠体と、掛合手段との組み合わせによって、本発明の商品陳列具を形成した後は、これを最小単位として、所望の数の第二の枠体と、所望の数の掛合手段とを組み合わせることによって、前述した最小単位となっている本発明の商品陳列具の向かって右側に次々と収容空間を増設し、また、不要になれば、当該増設した収容空間を撤去していくことができる。
【００２２】
このように、本発明によれば、書籍のような板状の商品を立てて陳列するのに適した商品陳列具であって、商品配置形態を変更する等、種々の商品アイティムを次々と並列して並べて陳列することになった場合において、簡単に、各商品アイティムごとに区切って、各商品を立てて並べながら陳列スペースを確保することができ、その一方、不要になった場合には、簡単に撤去できて、商品陳列スペース（すなわち、商品を立てて並べて陳列する横方向のスペース）を、所望に応じて簡単に変更することを可能ならしめる商品陳列具を提供することができる。
【発明を実施するための最良の形態】
【００２３】
以下、添付図面を参照して本発明の好ましい実施形態を説明する。
【００２４】
図１〜図１０は本発明の第一の好ましい実施形態を説明するものである。
【００２５】
本発明の商品陳列具１は、第一の枠体２と、第二の枠体３と、掛合手段とからなるものである。
【００２６】
第一の枠体１は、左側側面支持板４と、第一の右側側面支持板５と、第一の底面支持板６と、第一の背面支持板７とから構成されている。
【００２７】
第一の右側側面支持板５は、図１図示のように、左側側面支持板４に対して所定の間隔を開けて左側側面支持板４に対して平行に延び、下端辺５ａの垂直方向高さ位置が、図４図示のように、左側側面支持板４の下端辺４ａの垂直方向高さ位置より所定の間隔ｈだけ高くなっている。
【００２８】
第一の底面支持板６は、左側側面支持板４の下端側と第一の右側側面支持板５の下端側との間に、図１、図２、図４図示のように、第一の右側側面支持板５の下端側から左側側面支持板４の下端側に向かって下り傾斜して配置されている。
【００２９】
第一の背面支持板７は、第一の右側側面支持板５の背面側から左側側面支持板４の背面側に向かって配置されている。
【００３０】
第二の枠体３は、第二の右側側面支持板１５と、第二の底面支持板１６と、第二の背面支持板１７とから構成されている。
【００３１】
第二の右側側面支持板１５は、図２図示のように、第一の枠体２に対して第二の枠体３が右側から組み合わされた際に、第一の枠体２の第一の右側側面支持板５に対して所定の間隔を開けて、第一の右側側面支持板５に対して平行に延び、下端辺１５ａの垂直方向高さ位置が、図４図示のように、第一の枠体２の左側側面支持板４の下端辺４ａの垂直方向高さ位置より所定の間隔ｈだけ高くなっている。
【００３２】
第二の底面支持板１６は、第一の枠体２の第一の右側側面支持板５の下端側と第二の右側側面支持板１５の下端側との間に、図１、図２、図４図示のように、第二の右側側面支持板１５の下端側から第一の右側側面支持板５の下端側に向かって下り傾斜して延びている。
【００３３】
第二の背面支持板１７は、第二の右側側面支持板１５の背面側から、第一の背面支持板７と平行に、第一の枠体２の方向に向かって延びている。
【００３４】
掛合手段は、第一の枠体２に対して第二の枠体３が、図２図示のように、第一の枠体２の右側から組み合わされた際に、第二の底面支持板１６の第一の右側側面支持板５の下端側に近接する部分と、第一の右側側面支持板５の下端側との間を掛脱自在に掛合するものである。
【００３５】
掛合手段は、図２図示のように、第一の枠体２に対して第二の枠体３が第一の枠体２の右側から組み合わされた際に、第二の枠体３の第二の底面支持板１６の第一の枠体２の第一の右側側面支持板５の下端側に近接する部分と、第一の枠体２の第一の右側側面支持板５の下端側との間を掛合するものであって、このときに、掛合手段の底面（図１〜図１０図示の実施形態においては、突部８の底面８ａと、第二の底面支持板１６の底面頂点１６ａ）の垂直方向高さ位置が、第一の枠体２の左側側面支持板４の下端辺４ａの垂直方向高さ位置と等しくなるものである。
【００３６】
図１〜図１０の実施形態では、掛合手段は、第一の枠体２の第一の右側側面支持板５の下端の左側側面支持板に向かう側の面５ｂと、当該面５ｂに対して所定の間隔を開けて第一の枠体２の第一の底面支持板６の底面に形成されている突部８と、第一の底面支持板８の底面との間で形成される掛合凹部１４と、第一の枠体２に対して第二の枠体３が第一の枠体２の右側から組み合わされた際に、当該掛合凹部１４に嵌合するように、第二の枠体３の第二の底面支持板１６の第一の右側側面支持板５の下端側に近接する部分の上面側に形成されている掛合凸部１６ｃとから構成されている。
【００３７】
この掛合手段は、図２図示のように、第一の枠体２に対して第二の枠体３が第一の枠体２の右側から組み合わされた際に、第二の枠体３の第二の底面支持板１６の第一の枠体２の第一の右側側面支持板５の下端側に近接する部分と、第一の枠体２の第一の右側側面支持板５の下端側との間を掛合するものであって、このときに、第一の枠体２の第一の右側側面支持板５の下端側に延びている側（図１、図４において、符号９で示している部分）において、垂直方向上向きに立ち上がり、少なくとも、第一の枠体２の第一の右側側面支持板５の下端の左側側面支持板４に向かう側の面５ｂに掛合する掛合凸部１６ｃを備えている。
【００３８】
そこで、図２図示のように、第一の枠体２に対して第二の枠体３が第一の枠体２の右側から組み合わされて形成された本発明の商品陳列具１は、前述したように、掛合手段の底面（図１〜図１０図示の実施形態においては、突部８の底面８ａと、第二の底面支持板１６の底面頂点１６ａ）の垂直方向高さ位置が、第一の枠体２の左側側面支持板４の下端辺４ａの垂直方向高さ位置と等しくなっていることと合わせて、第一の枠体２に対して右側から第一の枠体２に組み合わされた第二の枠体３が、掛合手段によって掛脱自在に掛合されている第二の底面支持板６の第一の右側側面支持板５の下端側に近接する部分と第一の右側側面支持板５の下端側との間（図２、図４において、符号９で図示している部分）を回転中心として、矢印１１（図２）で示すように、第二の枠体３の第二の右側側面支持板１５が、第一の枠体２から離れる方向に回転しようとする動きが防止される。
【００３９】
こうして、図２図示のように、第一の枠体２に対して第二の枠体３が第一の枠体２の右側から組み合わされて形成された本発明の商品陳列具１は床面に安定して支持され、第一の枠体２と第二の枠体３とは、図２に矢印１２、１３で示すように、それぞれ、互いに対して背面側方向（矢印１３方向）及び正面側方向（矢印１２方向）に向けてのみスライド移動可能になる。
【００４０】
本発明の商品陳列具１は、図１、図２図示のように第一の枠体２に対して第二の枠体３を第一の枠体２の右側から組み合わせて形成した後、これを最小単位として、図３図示のように、所望の数の第二の枠体３と掛合手段とを組み合わせることにより、所望の数の収容空間を形成することができる。
【００４１】
図３図示の実施形態は、図１、図２図示のように第一の枠体２に対して第二の枠体３を第一の枠体２の右側から組み合わせて本発明の商品陳列具１を形成した後、これを最小単位として、これに２個の第二の枠体３ａ、３ｂと、第二の枠体３ａ、３ｂそのものにそれぞれ備えられている掛合手段２個とを組み合わせて、４個の収容空間を用意したものである。
【００４２】
図３において第二の枠体３ａ、３ｂの形状、構造は第二の枠体３とそれぞれ同一である。
【００４３】
第二の枠体３の右側から、第二の枠体３ａを組み合わせる場合、掛合手段は、前述し、図２に示したのと同じように、第二の枠体３に対して第二の枠体３ａが第二の枠体３の右側から組み合わされた際に、第二の枠体３ａの第二の底面支持板１６の第二の枠体３の第二の右側側面支持板１５の下端側に近接する部分と、第二の枠体３の第二の右側側面支持板１５の下端側との間を掛合し、このとき、第二の枠体３の第二の右側側面支持板１５の下端側に延びている側において、垂直方向上向きに立ち上がり、少なくとも、第二の枠体３の第二の右側側面支持板１５の下端の第二の枠体３の第二の右側側面支持板１５に向かう側の面５ｂに掛合する掛合凸部１６ｃを備えている。
【００４４】
こうして、図３図示のように、第一の枠体２に対して第二の枠体３が第一の枠体２の右側から組み合わされて形成された本発明の商品陳列具１に対して、更に、順次、第二の枠体３ａ、３ｂが右側から取り付けられた商品陳列具も、床面に安定して支持され、第一の枠体２、第二の枠体３、第二の枠体３ａ、第二の枠体３ｂは、それぞれ、隣接する枠体に対して、背面側方向（図２の矢印１３方向）及び正面側方向（図２の矢印１２方向）に向けてのみスライド移動可能になる。
【００４５】
すなわち、第二の枠体３の右側から、同じようにして、更に、別の第二の枠体３ａを組み合わせ、この更に右側から組み合わせた第二の枠体３ａにおける第二の底面支持板１６の第二の枠体３の第二の右側側面支持板１５の下端側に近接する部分と、第二の枠体３の第一の右側側面支持板１５の下端側との間を掛合手段によって掛脱自在に掛合することにより、同じようにして、収容空間を右側に次々に増設していくことができる。
【００４６】
このように、第一の枠体２と、第二の枠体３と、掛合手段との組み合わせによって、本発明の商品陳列具１を形成した後は、これを最小単位として、所望の数の第二の枠体３ａ、３ｂと、所望の数の掛合手段とを組み合わせることによって、前述した最小単位となっている本発明の商品陳列具１の向かって右側に次々と収容空間を増設し、また、不要になれば、この増設した収容空間を撤去することができる。
【００４７】
図１１〜図１５は、本発明の他の好ましい実施形態を説明するものである。
【００４８】
前述した図１〜図１０の実施形態では、掛合手段は、第一の枠体２の第一の右側側面支持板５の下端の左側側面支持板に向かう側の面５ｂと、当該面５ｂに対して所定の間隔を開けて第一の枠体２の第一の底面支持板６の底面に形成されている突部８と、第一の底面支持板８の底面との間で形成される掛合凹部１４と、第一の枠体２に対して第二の枠体３が第一の枠体２の右側から組み合わされた際に、当該掛合凹部１４に嵌合するように、第二の枠体３の第二の底面支持板１６の第一の右側側面支持板５の下端側に近接する部分の上面側に形成されている掛合凸部１６ｃとから構成されていた。
【００４９】
図１１〜図１５の実施形態では、この掛合手段の形態が相違するのみで、他の形態は実質的に同一であるので、共通する部分には、共通する符号を付けてその説明を省略する。
【００５０】
図１１〜図１５の実施形態においても、掛合手段１２０は、図１２図示のように、第一の枠体１０２に対して第二の枠体１０３が第一の枠体１０２の右側から組み合わされた際に、第二の枠体１０３の第二の底面支持板１１６の第一の枠体０１２の第一の右側側面支持板５の下端側に近接する部分と、第一の枠体１０２の第一の右側側面支持板５の下端側との間を掛合するものであって、このときに、掛合手段１２０の底面１２０ａの垂直方向高さ位置が、第一の枠体１０２の左側側面支持板４の下端辺４ａの垂直方向高さ位置と等しくなるものである。
【００５１】
また、掛合手段１２０は、図１５図示のように、第一の枠体１０２に対して第二の枠体１０３が第一の枠体１０２の右側から組み合わされた際に、第二の枠体１０３の第二の底面支持板１１６の第一の枠体１０２の第一の右側側面支持板５の下端側に近接する部分と、第一の枠体１０２の第一の右側側面支持板５の下端側との間を掛合するものであって、このときに、第一の枠体１０２の第一の右側側面支持板５の下端側に延びている側において、垂直方向上向きに立ち上がり、少なくとも、第一の枠体１０２の第一の右側側面支持板５の下端の左側側面支持板４に向かう側の面５ｂに掛合する掛合凸部１２０ａを備えている。
【００５２】
この結果、図１２図示のように、第一の枠体１０２に対して第二の枠体１０３が第一の枠体１０２の右側から組み合わされて形成された本発明の商品陳列具１０１は、第一の枠体１０２に対して右側から第一の枠体１０２に組み合わされた第二の枠体１０３が、掛合手段によって掛脱自在に掛合されている第二の底面支持板１１６の第一の右側側面支持板５の下端側に近接する部分と第一の右側側面支持板５の下端側との間（図１２において、符号９で図示している部分）を回転中心として、矢印１１（図１２）で示すように、第二の枠体１０３の第二の右側側面支持板１５が、第一の枠体１０２から離れる方向に回転しようとする動きが防止される。
【００５３】
こうして、図１２図示のように、第一の枠体１０２に対して第二の枠体１０３が第一の枠体１０２の右側から組み合わされて形成された本発明の商品陳列具１０１は、床面に安定して支持され、第一の枠体１０２と第二の枠体１０３とは、図１２に矢印１２、１３で示すように、それぞれ、互いに対して背面側方向（矢印１３方向）及び正面側方向（矢印１２方向）に向けてのみスライド移動可能になる。
【００５４】
図１１〜図１５の実施形態において、掛合手段１２０は、第一の枠体１０２、第二の枠体１０３とは別体のものとして準備しても良い。
【００５５】
また、掛合手段１２０の第二の枠体１０３の第二の底面支持板１１６の第一の右側側面支持板５の下端側に近接する部分に延びている側の上端側１２０ｃが第二の底面支持板１１６の底面に固着されている形態にすることもできる。
【００５６】
なお、図１〜図１０の実施形態では、第二の枠体３の第二の底面支持板１６の上側面に掛合手段を構成する突部が形成されているので、第二の底面支持板１６は、第一の枠体２に対して第二の枠体３が第一の枠体２の右側から組み合わされて本発明の商品陳列具１が形成された際に、第一の枠体２の第一の右側側面支持板５の下端より下に潜り込むように傾斜しているが、図１１〜図１５の実施形態では、掛合手段１２０が、第一の枠体１０２の第一の右側側面支持板５の下端と、第二の枠体１０３の第二の底面支持板１１６の底面との間に装着されて、図１５図示のように、第一の枠体１０２に対して第二の枠体１０３が第一の枠体１０２の右側から組み合わされた際に、第二の枠体１０３の第二の底面支持板１１６の第一の枠体１０２の第一の右側側面支持板５の下端側に近接する部分と、第一の枠体１０２の第一の右側側面支持板５の下端側との間を掛合している。そこで、第二の底面支持板１１６は、第一の枠体１０２に対して第二の枠体１０３が第一の枠体１０２の右側から組み合わされて本発明の商品陳列具１０１が形成された際に、第一の枠体１０２の第一の右側側面支持板５の側面に当接するように傾斜している。
【００５７】
以上説明した本発明の商品陳列具１、１０１において、掛合手段は、いずれの実施形態においても、第一の枠体２、１０２、第二の枠体１０２、１０３の正面側から背面側まで延びる突条の形態のものを図示している。
【００５８】
しかし、本発明の商品陳列具１、１０１において、掛合手段は、第一の枠体２、１０２に対して第二の枠体３、１０３が第一の枠体２、１０２の右側から組み合わされているときに、第一の枠体２、１０２と第二の枠体３、１０３とをそれぞれ互いに対して背面側方向（矢印１３方向）及び正面側方向（矢印１２方向）に向けてスライド移動可能に、第二の枠体３、１０３の第二の底面支持板１６、１１６の第一の枠体２、１０２の第一の右側側面支持板５の下端側に近接する部分と、第一の枠体２、１０２の第一の右側側面支持板５の下端側との間を掛合するものであれば、図示してきた突条の形態に限られず、部分的な突起部から形成することも十分可能である。
【００５９】
また、本発明の商品陳列具１、１０１に立てて並べて収容されている書籍等の板状の商品を抜き出す際に、当該抜き出し動作に伴って、第一の枠体２、１０２、第二の枠体３、１０３等が一緒に、正面側（矢印１２方向）に向かってスライド移動することを防止するために、掛合手段を構成する突部８の底面８ａ、掛合手段１２０の底面１２０ａに摩擦部材を取り付けておくこともできる。
【００６０】
以上、添付図面を参照して説明した本発明の商品陳列具１、１０１における、第一の枠体２、１０２、第二の枠体３、１０３、掛合手段は、いずれも合成樹脂製とすることができる。例えば、無色透明なアクリル樹脂製とすることによって、高級感、清潔感を備え、デザイン的にも優れたものにすることができる。
【００６１】
以上、本発明の好ましい実施形態を添付図面を参照して説明したが、本発明はかかる実施形態に限定されるものではなく、特許請求の範囲の記載から把握される技術的範囲において種々の形態に変更可能である。
【００６２】
例えば、本発明についての以上の説明は、第一の枠体に対して、第二の枠体が、掛合手段によって、第一の枠体の右側から組み合わされ、こうして形成された本発明の商品陳列具に対して、右側に、更に、他の第二の枠体が、掛合手段によって、順次組み合わされていくものであったが、本発明は、これに限られるものではなく、第一の枠体に対して、第二の枠体が、掛合手段によって、第一の枠体の左側から組み合わされ、こうして形成された本発明の商品陳列具に対して、左側に、更に、他の第二の枠体が、掛合手段によって、順次組み合わされていくものも、本発明の発明概念に含まれる。
【００６３】
すなわち、第一の枠体と、第二の枠体と、掛合手段とからなる商品陳列具であって、前記第一の枠体は、右側側面支持板と、当該右側側面支持板に対して所定の間隔を開けて当該右側側面支持板に対して平行に延び、下端辺の垂直方向高さ位置が、右側側面支持板の下端辺の垂直方向高さ位置より所定の間隔だけ高い第一の左側側面支持板と、当該右側側面支持板の下端側と第一の左側側面支持板の下端側との間に、第一の左側側面支持板の下端側から右側側面支持板の下端側に向かって下り傾斜して配置されている第一の底面支持板と、当該第一の左側側面支持板の背面側から右側側面支持板の背面側に向かって配置される第一の背面支持板とからなり、前記第二の枠体は、当該第一の枠体に対して左側から組み合わされた際に、当該第一の枠体の第一の左側側面支持板に対して所定の間隔を開けて、当該第一の左側側面支持板に対して平行に延び、下端辺の垂直方向高さ位置が、前記第一の枠体の右側側面支持板の下端辺の垂直方向高さ位置より所定の間隔だけ高い第二の左側側面支持板と、前記第一の枠体の第一の左側側面支持板の下端側と当該第二の左側側面支持板の下端側との間に、当該第二の左側側面支持板の下端側から第一の左側側面支持板の下端側に向かって下り傾斜して延びる第二の底面支持板と、当該第二の左側側面支持板の背面側から、前記第一の背面支持板と平行に、前記第一の枠体の方向に向かって延びる第二の背面支持板とからなり、前記掛合手段は、前記第一の枠体に対して第二の枠体が第一の枠体の左側から組み合わされた際に、前記第二の底面支持板の前記第一の左側側面支持板の下端側に近接する部分と、前記第一の左側側面支持板の下端側との間を掛脱自在に掛合するものであることを特徴とする商品陳列具も、本発明の発明概念に含まれるものである。
【図面の簡単な説明】
【００６４】
【図１】本発明の一例を表す商品陳列具が組み立てられる状態を説明する斜視図。
【図２】図１図示の商品陳列具が組み立てられた状態を表す斜視図。
【図３】図２図示の本発明の商品陳列具に、第二の枠体が図中、右側から更に２個順次組み付けられて、４つの収容空間が形成された状態を説明する斜視図。
【図４】図２図示の商品陳列具を図２中、正面側から見た状態（正面図）を表す図。
【図５】図２図示の商品陳列具を図２中、上側から見た状態（平面図）を表す図。
【図６】図２図示の商品陳列具を図２中、下側から見た状態（底面図）を表す図。
【図７】図２図示の商品陳列具を図２中、左側から見た状態（左側面図）を表す図。
【図８】図２図示の商品陳列具を図２中、右側から見た状態（右側面図）を表す図。
【図９】図２図示の商品陳列具を図２中、背面側から見た状態（背面図）を表す図。
【図１０】図８中、Ａ−Ａ線断面図。
【図１１】本発明の他の一例を表す商品陳列具が組み立てられる状態を説明する斜視図。
【図１２】図１１図示の商品陳列具が組み立てられた状態を表す斜視図。
【図１３】図１２図示の商品陳列具の、図１２中、下側から見た状態（底面図）を表す図。
【図１４】図１２図示の商品陳列具の、図１２中、右側から見た状態（右側面図）を表す図。
【図１５】図１４中、Ａ−Ａ線断面図。
【符号の説明】
【００６５】
１  商品陳列具
２  第一の枠体
３  第二の枠体
３ａ、３ｂ  第二の枠体
４  左側側面支持板
４ａ  左側側面支持板の下端辺
５  第一の右側側面支持板
５ａ  第一の右側側面支持板の下端辺
５ｂ  第一の右側側面支持板の下端の左側側面支持板に向かう側の面
６  第一の底面支持板
７  第一の背面支持板
８    突部
８ａ  突部の底面
１４    掛合凹部
１５    第二の右側側面支持板
１５ａ  第二の右側側面支持板の下端辺
１６    第二の底面支持板
１６ａ  第二の底面支持板の底面頂点
１６ｃ  掛合凸部
１７    第二の背面支持板
１０２  第一の枠体
１０３  第二の枠体
１１６  第二の底面支持板
１２０  掛合手段
１２０ａ  掛合凸部
【図１】
2006000255.tif 000003
【図２】
2006000255.tif 000004
【図３】
2006000255.tif 000005
【図４】
2006000255.tif 000006
【図５】
2006000255.tif 000007
【図６】
2006000255.tif 000008
【図７】
2006000255.tif 000009
【図８】
2006000255.tif 000010
【図９】
2006000255.tif 000011
【図１０】
2006000255.tif 000012
【図１１】
2006000255.tif 000013
【図１２】
2006000255.tif 000014
【図１３】
2006000255.tif 000015
【図１４】
2006000255.tif 000016
【図１５】
2006000255.tif 000017